(57)【要約】【課題】暗い所でもキー入力部を明るく照明してキー操作性の向上を図る。【解決手段】下ケース１と上ケース２とがヒンジ部３によって回動可能に連結されて互いに重なり合って閉じる電子機器において、下ケース１に設けられた光透過性を有するキーボード１０と、このキーボード１０の下面側に配置された発光素子１２の光を反射板１３でキーボード１０の下面に向けて反射する照射装置１１とを備えた。従って、使用するときに下ケース１と上ケース２とを開いて照明装置１１の発光素子１２を発光させると、その光が反射板１３で反射されてキーボード１０の下面に照射され、この照射された光が光透過性を有するキーボード１０を透過することにより、キーボード１０全体を明るく照明することができ、これにより暗い所でもキー表示を確実に判読できるので、暗い所でのキー操作性を向上させることができる。【選択図】        図４
2005011094.tif 000002
【特許請求の範囲】
【請求項１】
第１ケースと第２ケースとがヒンジ部によって回動可能に連結されて互いに重なり合った状態で閉じる電子機器において、
前記第１ケースに対向する前記第２ケースの対向面に設けられた表示部と、
この表示部に対向する前記第１ケースの対向面に設けられた光透過性を有するキー入力部と、
このキー入力部の裏面側に配置された発光素子、およびこの発光素子の光を前記キー入力部の裏面に向けて反射する反射板を有する照射装置と
を備えたことを特徴とする電子機器。
【請求項２】
前記照明装置は、前記第１、第２ケースを開いたときに前記発光素子の光を前記表示部のほぼ全域に向けて照射させるレンズ部を備えていることを特徴とする請求項１に記載の電子機器。
【請求項３】
前記第１ケースの前記対向面に沿って前記キー入力部を前記ヒンジ部に対する接離方向にスライドさせるスライド機構を備えていることを特徴とする請求項１または２に記載の電子機器。
【請求項４】
前記第１、第２ケースを閉じるときに、前記キー入力部を前記ヒンジ部側に向けてスライドさせて前記第１ケースの前記対向面に対しほぼ平行な状態にし、前記第１、第２ケースを開くときに、前記キー入力部を前記ヒンジ部と反対側に向けてスライドさせて前記第１ケースの前記対向面に対し前記ヒンジ部側が高い傾斜状態にする傾斜機構を備えていることを特徴とする請求項３に記載の電子機器。
【請求項５】
前記第１、第２ケースが閉じるときの回動動作に連動して前記キー入力部を前記ヒンジ部側に向けてスライドさせると共に、前記第１、第２ケースが開くときの回動動作に連動して前記キー入力部を前記ヒンジ部と反対側に向けてスライドさせる連動機構を備えていることを特徴とする請求項３または４に記載の電子機器。
【発明の詳細な説明】
【０００１】
【発明の属する技術分野】
この発明は、電子辞書や携帯電話機などの折畳可能な電子機器に関する。
【０００２】
【従来の技術】
従来、折畳可能な電子機器である電子辞書においては、下ケースと、キー入力部を有する中ケースと、表示部を有する上ケースとがその順で重なり合う状態で、上ケースと下ケースとが第１ヒンジ部によって回動可能に取り付けられ、且つ中ケースと上ケースとが第２ヒンジ部によって回動可能に取り付けられ、この状態で使用するときに、下ケースと上ケースとを開くと、これに連動して中ケースが下ケース上をスライドして第２ヒンジ部側が高くなるように中ケースを下ケース上に傾斜させることにより、中ケースのキー入力部が手前側下がりに傾斜するように構成したものがある（例えば、特許文献１参照。）。
【０００３】
【特許文献１】
特開２００１−５５５７号公報（Ｐ２００１−５５５７Ａ）
【０００４】
【発明が解決しようとする課題】
この特許文献１の電子辞書では、使用するときに下ケースと上ケースとを開くと、第２ヒンジ部が第１ヒンジ部の上方に引き上げられながら中ケースがスライドし、中ケースのキー入力部が下ケース上に手前側下がりに傾斜して配置されるので、良好にキー入力操作ができるほか、表示部がバックライト機能を備えた構造であれば、暗い所で使用する際、表示部のバックライト機能でキー入力部を照明することができるが、バックライト機能の明るさだけではキー入力部を十分に照明することができず、キー表示が判読しにくいため、暗い所ではキー操作性が低下するという問題がある。
【０００５】
この発明の課題は、暗い所でもキー入力部を明るく照明してキー操作性の向上を図ることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図４に示すように、第１ケース（下ケース１）と第２ケース（上ケース２）とがヒンジ部（３）によって回動可能に連結されて互いに重なり合った状態で閉じる電子機器において、前記第１ケースに対向する前記第２ケースの対向面に設けられた表示部（５）と、この表示部に対向する前記第１ケースの対向面側に設けられた光透過性を有するキー入力部（キーボード１０）と、このキー入力部の裏面側に配置された発光素子（１２）、およびこの発光素子の光を前記キー入力部の裏面に向けて反射する反射板（１３）を有する照射装置（１１）とを備えたことを特徴とする電子機器である。
【０００７】
この発明によれば、使用しないときには、ヒンジ部を中心に第１ケースと第２ケースとを回動させて閉じると、第１ケースと第２ケースとの間にキー入力部が配置されて第１ケースと第２ケースとが重なり合うので、コンパクトに携帯することができると共に、キー入力部を確実に保護することができる。また、使用するときには、ヒンジ部を中心に第１ケースと第２ケースとを回動させて開くと、第１ケースのキー入力部と第２ケースの表示部とが露呈するので、表示部を見ながらキー入力部で入力操作をすることができるほか、特にこの状態で照明装置の発光素子を発光させると、その光が反射板で反射されてキー入力部の裏面に照射され、この照射された光が光透過性を有するキー入力部を透過するので、照明装置によってキー入力部全体を明るく照明することができ、このため暗い所でもキー入力部のキー表示を判読しやすくすることができ、これにより暗い所でのキー操作性を向上させることができる。
【０００８】
請求項２に記載の発明は、図３および図４に示すように、前記照明装置（１１）が、前記第１、第２ケース（下ケース１および上ケース２）を開いたときに前記発光素子（１２）の光を前記表示部（５）のほぼ全域に向けて照射させるレンズ部（１４）を備えていることを特徴とする請求項１に記載の電子機器である。
この発明によれば、使用時に第１ケースと第２ケースとを開いた状態で、照明装置の発光素子を発光させると、その光が反射板で反射されてキー入力部を照明することができるほか、特に発光素子の光がレンズ部によって第２ケースの表示部のほぼ全域に向けて照射されるので、キー入力部を明るく照明することができるのと同時に、表示部をも明るく照明することができ、これにより表示部がバックライト機能を備えていなくても、暗い所で表示部に表示された情報を視認することができ、このため表示部を見ながらキー入力部で入力操作をすることができるので、暗い所でも良好に使用することができる。
【０００９】
請求項３に記載の発明は、図３および図４に示すように、前記第１ケース（下ケース１）の前記対向面に沿って前記キー入力部（キーボード１０）を前記ヒンジ部（３）に対する接離方向にスライドさせるスライド機構（ガイド片１５および支持軸１６）を備えていることを特徴とする請求項１または２に記載の電子機器である。
この発明によれば、第１ケースの対向面に沿ってキー入力部をスライド機構によってヒンジ部に対する接離方向にスライドさせる際、第１、第２ケースを開いてキー入力部をヒンジ部から離れる方向にスライドさせると、キー入力部とヒンジ部との間に隙間ができ、この隙間を通して照明装置の発光素子からの光をレンズ部によって良好に表示部のほぼ全域に照射させることができる。
【００１０】
請求項４に記載の発明は、図３および図４に示すように、前記第１、第２ケース（下ケース１および上ケース２）を閉じるときに、前記キー入力部（キーボード１０）を前記ヒンジ部（３）側に向けてスライドさせて前記第１ケースの前記対向面に対しほぼ平行な状態にし、前記第１、第２ケースを開くときに、前記キー入力部を前記ヒンジ部と反対側に向けてスライドさせて前記第１ケースの前記対向面に対し前記ヒンジ部側が高い傾斜状態にする傾斜機構（ガイド傾斜部１７）を備えていることを特徴とする請求項３に記載の電子機器である。
【００１１】
この発明によれば、第１、第２ケースを閉じると、キー入力部が傾斜機構によって第１ケースの対向面に対しほぼ平行な状態になるので、請求項１に記載の発明と同様、コンパクトに携帯することができ、また第１、第２ケースを開くと、キー入力部が傾斜機構によって第１ケースの対向面に対しヒンジ部側が高い傾斜状態になるので、キー入力部のキー操作性を向上させることができるほか、特に第１、第２ケースを開いたときに照明装置のレンズ部を第１ケースの上方に突出させることができるので、発光素子からの光をレンズ部によって確実に且つ良好に表示部のほぼ全域に照射させることができる。
【００１２】
請求項５に記載の発明は、図３および図４に示すように、前記第１、第２ケース（下ケース１および上ケース２）が閉じるときの回動動作に連動して前記キー入力部（キーボードユニット４）を前記ヒンジ部（３）側に向けてスライドさせると共に、前記第１、第２ケースが開くときの回動動作に連動して前記キー入力部を前記ヒンジ部と反対側に向けてスライドさせる連動機構を備えていることを特徴とする請求項３またが４に記載の電子機器である。
この発明によれば、第１、第２ケースを回動操作させると、連動機能によってキー入力部を第１ケースの対向面に対し自動的にスライドさせることができると共に、請求項４に記載の発明の傾斜機構を備えていることにより、キー入力部のスライド動作によって第１、第２ケースが閉じて重なり合うときにキー入力部を自動的に第１ケースの対向面に対しほぼ平行な状態にさせることができ、また第１、第２ケースが開くときにキー入力部を自動的に第１ケースの対向面に対しヒンジ部側が高い傾斜状態にさせることができ、これにより使い勝手の良いものを得ることができる。
【００１３】
【発明の実施の形態】
以下、図１〜図４を参照して、この発明の電子機器を電子辞書に適用した一実施形態について説明する。
図１はこの発明の電子辞書における携帯時の外観斜視図、図２はその使用時における平面図、図３は図１のＡ−Ａ矢視における一部省略した要部の内部構造を示した拡大図、図４は図２の拡大側面図である。
この電子辞書は、図１に示すように、下ケース１と上ケース２とがその各後端部（同図では右端部）においてヒンジ部３によって回動可能に取り付けられ、このヒンジ部３を中心に下ケース１と上ケース２とが相対的に回動して閉じると、下ケース１と上ケース２とが互いに重なり合うように構成されている。
【００１４】
この場合、下ケース１は、図１〜図４に示すように、ほぼ平板状に形成され、その後端部（図３では右端部）が前部側（同図では左側）よりも少し厚く形成されている。この下ケース１の後端部を除く上面には、図２〜図４に示すように、キーボードユニット４が前後方向（図３では左右方向）にスライド可能に設けられている。上ケース２は、下ケース１と同じサイズのほぼ平板状に形成されている。この上ケース２には、図２に示すように、表示部５が下ケース１の上面に対向して設けられている。この表示部５は、液晶表示素子やＥＬ表示素子（エレクトロルミネッセンス表示素子）などの平面型の表示素子からなり、電気光学的に情報を表示するように構成されている。
【００１５】
ヒンジ部３は、図１〜図４に示すように、下ケース１の後端部（図１では右端部）における上面の中間部分に設けられたほぼ半円形状の凸部６と、上ケース２の後端部（図１では右端部）における中間部分に下ケース１の凸部６と対応して設けられた凹部７とを備え、図１および図２に示すように下ケース１の凸部６が上ケース２の凹部７に嵌合した状態で、図３および図４に示すように下ケース１の凸部６と上ケース２の凹部７の両端部分とが連結軸８によって回動可能に取り付けられ、これにより下ケース１と上ケース２とが連結軸８を中心に相対的に回動して開閉するように構成されている。
【００１６】
キーボードユニット４は、図３および図４に示すように、キーボード１０と照明装置１１とを備え、これらが一体的に下ケース１に対してスライドするように構成されている。キーボード１０は、回路基板上にスペーサを介してキーシート（いずれも図示せず）を設けた構造で、これら全体が透明または半透明な樹脂によってスケルトン状態で形成され、これにより光透過性を有するように構成されている。この場合、キーボード１０は、図２に示すように、文字キー、ファンクションキー、カーソルキーなどの辞書機能に必要な各種のキートップ１０ａがキーシート上に設けられ、これらキートップ１０ａにキー表示（図示せず）が施され、この状態でキーシートのキートップ１０ａが押されると、キーシートが撓んでスペーサを介して回路基板に接触することにより、キーシートの可動接点と回路基板の固定接点とが導通するように構成されている。
【００１７】
また、照明装置１１は、図３および図４に示すように、キーボード１０の後部（図３では右側部）における下面側に配置された発光素子１２と、この発光素子１２の光をキーボード１０の下面全体に向けて反射する反射板１３と、発光素子１２からの光を上ケース２の表示部５のほぼ全域に向けて照射するレンズ部１４とを備えている。発光素子１２は、発光ダイオードなどのランプからなり、キーボード１０の後部側に１個配置されているだけでも良く、またキーボード１０の後部側に沿って複数個配列されていても良い。反射板１３は、キーボード１０の前端部（図３では左端部）における下面から後端部（同図では右端部）に向けて後下がり（同図では右下がり）に傾斜した傾斜板部と、この傾斜板部の両側辺部からキーボード１０の両側辺部に延びる側板部とからなり、キーボード１０の下面に設けられている。
【００１８】
この場合、反射板１３は、図３に示すように、傾斜板部の後端部が下ケース１の下面とほぼ平行に形成され、この平行な部分に発光素子１２が配置され、傾斜板部の上面と両側の側板部の内面とが反射面に形成され、これによりレンズ部１４側を除いて発光素子１２からの光を下ケース１の外部に漏らさずにキーボード１０の下面に向けて反射するように構成されている。レンズ部１４は、図３および図４に示すように、発光素子１２の後方（図３では右方）に位置した状態で、キーボード１０の後端部と反射板１３の後端部との間に配置され、図４に示すように下ケース１と上ケース２とを開いた状態のときに、発光素子１２からの光を上ケース２の表示部５のほぼ全域に向けて照射するように構成されている。
【００１９】
ところで、キーボードユニット４は、図２〜図４に示すように、その前端部（図３では左端部）における両側に一対のガイド片１５が支持軸１６によって回動可能に取り付けられ、これら一対のガイド片１５が下ケース１の上面にそれぞれ設けられたガイド溝（図示せず）に沿って下ケース１の前後方向（図３では左右方向）にガイドされるように構成されている。また、このキーボードユニット４は、下ケース１内に設けられたガイド傾斜部１７上に反射板１３の下面が接触した状態で移動可能に配置され、このガイド傾斜部１７上を反射板１３が移動することにより、上下方向に変位するように構成されている。
【００２０】
すなわち、このガイド傾斜部１７は、図３に示すように、キーボードユニット４がヒンジ部３側つまり下ケース１の後方（図３では右側）に向けてスライドすると、反射板１３の下面がガイド傾斜部１７上を移動することにより、キーボードユニット４がガイド片１５の支持軸１６を中心に図３において時計回りに回動し、キーボード１０の後端部を下方に向けて移動させてキーボード１０を下ケース１の上面とほぼ平行な状態にする。また、このガイド傾斜部１７は、図４に示すように、キーボードユニット４がヒンジ部３と反対側つまり下ケース１の前方（図４では左側）に向けてスライドすると、反射板１３の下面がガイド傾斜部１７上を移動することにより、キーボードユニット４がガイド片１５の支持軸１６を中心に図４において反時計回りに回動し、キーボード１０の後端部を上方に向けて移動させ、キーボード１０を後部上がり（図４では右上がり）に傾斜させるように構成されている。
【００２１】
また、このキーボードユニット４は、図３および図４に示すように、連動機構（図示せず）によって下ケース１と上ケース２との回動動作に連動してスライドするように構成されている。すなわち、この連動機能は、例えば、上ケース２のヒンジ部３に設けられて上ケース２と共に回動する回動アームと、この回動アームに回動可能に取り付けられてキーボードユニット４に連結された連動アームとを備え、下ケース１と上ケース２とを閉じるときに、回動アームが連結アームを下ケース１の後部側（図３では右側）に向けて引き寄せることにより、キーボードユニット４を下ケース１の後方（図３では右側）つまりヒンジ部３側に向けて移動させ、また下ケース１と上ケース２とが開くときに、回動アームが連結アームを下ケース１の前部側（図４では左側）に向けて押し出すことにより、キーボードユニット４を下ケース１の前方（図４では右側）つまりヒンジ部３と反対側に向けて移動させるように構成されている。
【００２２】
次に、この電子辞書の作用について説明する。
この電子辞書を使用しないときには、ヒンジ部３を中心に下ケース１と上ケース２とを閉じる方向に回動させると、下ケース１に対する上ケース２の回動動作に応じて連動機能がキーボードユニット４をヒンジ部３側つまり下ケース１の後方（図３では右側）に向けて移動させる。このときには、キーボードユニット４のガイド片１５が下ケース１の上面のガイド溝に沿ってガイドされながら、反射板１３がガイド傾斜部１７上をヒンジ部３側つまり下ケース１の後方に向けて移動する。
【００２３】
このため、キーボードユニット４がガイド片１５の支持軸１６を中心に図３において時計回りに回動するので、キーボード１０の後部が下方に向けて移動して、キーボード１０が下ケース１の上面とほぼ平行な状態になる。これにより、下ケース１と上ケース２との間にキーボードユニット４が挟まれた状態になるので、下ケース１と上ケース２とによってキーボード１０を保護することができると共に、下ケース１と上ケース２とがキーボード１０を挟んで重なり合うので、機器全体がコンパクトになり、これにより良好に携帯することができる。
【００２４】
また、使用するときには、ヒンジ部３を中心に下ケース１と上ケース２とを開く方向に回動させると、下ケース１に対する上ケース２の回動動作に応じて連動機能がキーボードユニット４をヒンジ部３と反対側つまり下ケース１の前端側（図４では左側）に向けて移動させる。このときにも、キーボードユニット４のガイド片１５が下ケース１の上面のガイド溝に沿ってガイドされながら、反射板１３がガイド傾斜部１７上を前方（図４では左側）に向けて移動する。このため、キーボードユニット４がガイド片１５の支持軸１６を中心に図４において反時計回りに回動するので、キーボード１０の後部が下ケース１の上方に押し上げられて、キーボード１０が後部上がり（図４では右上がり）に傾斜した状態になる。
【００２５】
これにより、キーボード１０を良好に入力操作することができる。この状態で、照明装置１１をオンさせると、発光素子１２が発光するので、暗い所でもキーボード１０を明るく照明することができる。すなわち、発光素子１２が発光すると、その光が反射板１３で反射されてキーボード１０の下面全体に照射され、この照射された光が光透過性を有するキーボード１０を透過するので、照明装置１１によってキーボード１０全体を明るく照明することができる。このため、暗い所でもキーボード１０のキー表示を判読しやすくすることができ、これにより暗い所でのキー操作性を向上させることができる。
【００２６】
また、このときには、図４に示すように、下ケース１上にキーボード１０が後部上がりに傾斜することにより、照明装置１１のレンズ部１４が上ケース２に向けて下ケース１の上方に突出するので、このレンズ部１４によって発光素子１２で発光した光を上ケース２の表示部５のほぼ全域に向けて確実に且つ良好に照射することができる。このため、キーボード１０を明るく照明するのと同時に、表示部５をも明るく照明することができる。これにより、表示部５がバックライト機能を備えていなくても、暗い所で表示部５に表示された情報を視認することができる。このため、表示部５を見ながらキーボード１０を入力操作することができるので、暗い所でも良好に使用することができる。
【００２７】
なお、上記実施形態では、下ケース１と上ケース２との開閉操作に連動して連動機能がキーボードユニット４を自動的にスライドさせるように構成した場合について述べたが、必ずしも連動機能によってキーボードユニット４をスライドさせる必要はなく、例えば手動操作によってキーボードユニット４をスライドさせるように構成しても良く、またワンタッチ操作でキーボードユニット４をスライドさせるように構成しても良い。
【００２８】
また、上記実施形態では、キーボードユニット４が下ケース１に対してスライドするときに、ガイド傾斜部１７によってキーボードユニット４を上下方向に変位させてキーボード１０を傾斜させるように構成した場合について述べたが、必ずしもガイド傾斜部１７などの傾斜機構によってキーボード１０を傾斜させる必要はなく、単にキーボードユニット４が下ケース１に対してスライドさせるだけの構造でも良い。この場合にも、下ケース１と上ケース２とが開いたときにキーボードユニット４がヒンジ部３から離れる方向に移動してキーボードユニット４とヒンジ部３との間に隙間が形成されることにより、その隙間を通して照明装置１１の発光素子１２の光をレンズ部１４で上ケース２の表示部５に照射させることができる。
【００２９】
また、必ずしもキーボードユニット４を下ケース１に対してスライドさせる必要はなく、キーボードユニット４の上部における後端側に窓部を設け、この窓部を通して照明装置１１の発光素子１２の光をレンズ部１４で上ケース２の表示部５に照射させるように構成しても良い。
さらに、上記実施形態では、スイッチ操作によって照明装置１１をオンさせて発光素子１２を点灯させた場合について述べたが、これに限らず、例えば下ケース１と上ケース２とを開いてキーボード１０が下ケース１上に後部上がりに傾斜したときに、照明装置１１を自動的にオンさせるように構成しても良い。
なおまた、上記実施形態では、電子機器として電子辞書に適用した場合について述べたが、これに限らず、電子手帳や折畳式の携帯電話機、あるいはノート型のパーソナルコンピュータなどの電子機器にも適用することができる。
【００３０】
【発明の効果】
以上説明したように、この発明によれば、第１ケースと第２ケースとがヒンジ部によって回動可能に連結されて互いに重なり合った状態で閉じる電子機器において、第１ケースに対向する第２ケースの対向面に設けられた表示部と、この表示部に対向する第１ケースの対向面に設けられた光透過性を有するキー入力部と、このキー入力部の裏面側に配置された発光素子、およびこの発光素子の光をキー入力部の裏面に向けて反射する反射板を有する照射装置とを備えたので、使用するときには、ヒンジ部を中心に第１、第２ケースを回動させて開くと、第１ケースのキー入力部と第２ケースの表示部とが露呈し、この状態で照明装置の発光素子を発光させると、その光が反射板で反射されてキー入力部の裏面に照射され、この照射された光が光透過性を有するキー入力部を透過するので、照明装置によってキー入力部全体を明るく照明することができ、このため暗い所でもキー入力部のキー表示を判読しやすくすることができ、これにより暗い所でのキー操作性を向上させることができる。
【００３１】
この場合、照明装置が、第１、第２ケースを開いたときに発光素子の光を表示部のほぼ全域に向けて照射させるレンズ部を備えていることにより、使用時に第１、第２ケースを開いた状態で、照明装置の発光素子を発光させると、その光が反射板で反射されてキー入力部を照明することができるほか、特に発光素子の光がレンズ部によって第２ケースの表示部のほぼ全域に向けて照射されるので、キー入力部を明るく照明することができるのと同時に、表示部をも明るく照明することができる。このため、表示部がバックライト機能を備えていなくても、暗い所で表示部に表示された情報を視認することができ、これにより表示部を見ながらキー入力部で入力操作をすることができるので、暗い所でも良好に使用することができる。
【００３２】
また、第１ケースの対向面に沿ってキー入力部をヒンジ部に対する接離方向にスライドさせるスライド機構を備えていることにより、第１ケースの対向面に沿ってキー入力部をスライド機構によってヒンジ部に対する接離方向にスライドさせる際、第１、第２ケースを開いてキー入力部をヒンジ部から離れる方向にスライドさせると、キー入力部とヒンジ部との間に隙間ができ、この隙間を通して照明装置の発光素子からの光をレンズ部によって良好に表示部のほぼ全域に照射させることができる。
【００３３】
また、第１、第２ケースを閉じるときに、キー入力部をヒンジ部側に向けてスライドさせて前記第１ケースの前記対向面に対しほぼ平行な状態にし、前記第１、第２ケースを開くときに、前記キー入力部を前記ヒンジ部と反対側に向けてスライドさせて前記第１ケースの前記対向面に対し前記ヒンジ部側が高い傾斜状態にする傾斜機構を備えていることにより、第１、第２ケースを閉じると、キー入力部が傾斜機構によって第１ケースの対向面に対しほぼ平行な状態になるので、上述した場合と同様、コンパクトに携帯することができ、また第１、第２ケースを開くと、キー入力部が傾斜機構によって第１ケースの対向面に対しヒンジ部側が高い傾斜状態になるので、キー入力部のキー操作性を向上させることができるほか、特に第１、第２ケースを開いたときに照明装置のレンズ部を第１ケースの上方に突出させることができるので、発光素子からの光をレンズ部によって確実に且つ良好に表示部のほぼ全域に照射させることができる。
【００３４】
さらに、第１、第２ケースが閉じるときの回動動作に連動してキー入力部をヒンジ部側に向けてスライドさせると共に、第１、第２ケースが開くときの回動動作に連動してキー入力部をヒンジ部と反対側に向けてスライドさせる連動機構を備えていることにより、第１、第２ケースを回動操作させると、連動機能によってキー入力部を第１ケースの対向面に対し自動的にスライドさせることができると共に、上述した傾斜機構を備えていることにより、キー入力部のスライド動作によって第１、第２ケースが閉じて重なり合うときにキー入力部を自動的に第１ケースの対向面に対しほぼ平行な状態にさせることができ、また第１、第２ケースが開くときにキー入力部を自動的に第１ケースの対向面に対しヒンジ部側が高い傾斜状態にさせることができ、これにより使い勝手の良いものを得ることができる。
【図面の簡単な説明】
【図１】この発明を電子辞書に適用した一実施形態において下ケースと上ケースとを重ね合わせて閉じた状態を示した外観斜視図。
【図２】図１の下ケースと上ケースとを開いて使用する状態を示した平面図。
【図３】図１のＡ−Ａ矢視における一部省略した要部における内部構造を示した拡大図。
【図４】図２の拡大側面図。
【符号の説明】
１  下ケース
２  上ケース
３  ヒンジ部
４  キーボードユニット
５  表示部
１０  キーボード
１１  照明装置
１２  発光素子
１３  反射板
１４  レンズ部
１５  ガイド片
１６  支持軸
１７  ガイド傾斜部
【図１】
2005011094.tif 000003
【図２】
2005011094.tif 000004
【図３】
2005011094.tif 000005
【図４】
2005011094.tif 000006